(57)【要約】【課題】本発明は、流入する水が上層の湯（高温水）と混合することを抑制することができ、かつ、流入する水を扁平箱形の貯湯タンクの底部にほぼ均一に広げることができる貯湯式電気温水器を提供する。【解決手段】扁平箱形の貯湯タンクを備えた貯湯式電気温水器であって、前記貯湯タンクの第１の側面に設けられた給水部の給水口と、前記貯湯タンクの内部において、前記給水口を覆うようにして前記第１の側面に設けられた箱状のバッフルと、が設けられ、前記バッフルは、前記貯湯タンクの底部に対向する面が開口され、前記貯湯タンクの稜線部分には所定の曲率半径を有する曲面が設けられていること、を特徴とする貯湯式電気温水器が提供される。【選択図】図１
2009036397.tif 000002
【特許請求の範囲】
【請求項１】
扁平箱形の貯湯タンクを備えた貯湯式電気温水器であって、
前記貯湯タンクの第１の側面に設けられた給水部の給水口と、
前記貯湯タンクの内部において、前記給水口を覆うようにして前記第１の側面に設けられた箱状のバッフルと、が設けられ、
前記バッフルは、前記貯湯タンクの底部に対向する面が開口され、
前記貯湯タンクの稜線部分には所定の曲率半径を有する曲面が設けられていること、を特徴とする貯湯式電気温水器。
【請求項２】
前記貯湯タンクは、その平面形状が長方形を呈しており、
前記第１の側面は、前記長方形の短辺側であること、を特徴とする請求項１記載の貯湯式電気温水器。
【請求項３】
前記バッフルの開口部は、前記開口部の直下に設けられた前記曲面の曲率半径の中心位置よりも前記第１の側面の側に位置していること、を特徴とする請求項１または２に記載の貯湯式電気温水器。
【請求項４】
前記第１の側面の幅方向にみて、
前記開口部の幅寸法は、前記第１の側面の内幅寸法の半分以上とされたこと、を特徴とする請求項１〜３のいずれか１つに記載の貯湯式電気温水器。
【請求項５】
前記第１の側面に対して略垂直な第２の側面から前記開口部の端部までの寸法は、前記開口部の開口端から前記貯湯タンクの底部までの内壁に沿った流路の寸法以下であること、を特徴とする請求項１〜４のいずれか１つに記載の貯湯式電気温水器。
【請求項６】
前記第１の側面とは異なる前記貯湯タンクの第３の側面に設けられた出湯口と、
前記貯湯タンクの内部に設けられ、一端が前記出湯口と接続された出湯管と、
をさらに備え、
前記出湯管の他端は、前記貯湯タンク内の上部において開口されていること、を特徴とする請求項１〜５のいずれか１つに記載の貯湯式電気温水器。
【請求項７】
前記貯湯タンクの内部において、前記貯湯タンクの底部に沿って水平に配設されたヒータをさらに備えたこと、を特徴とする請求項１〜６のいずれか１つに記載の貯湯式電気温水器。
【請求項８】
前記第３の側面は、前記第１の側面と対向すること、を特徴とする請求項６記載の貯湯式電気温水器。
【請求項９】
前記ヒータは、前記第１の側面と対向する側面に設けられたフランジ部を有すること、を特徴とする請求項７記載の貯湯式電気温水器。
【発明の詳細な説明】
【技術分野】
【０００１】
本発明は、貯湯式電気温水器に関し、特に扁平箱形の貯湯タンクを備えた貯湯式電気温水器に関する。
【背景技術】
【０００２】
高さ方向の寸法が小さいスペースに貯湯式電気温水器を設置するためには、貯湯タンクの厚みを薄くする必要がある。しかし、一般的な円筒形状のタンクと比較して、広い面を下にして設置をした薄型タンク（寝かせ置きの薄型タンク）は、タンク内に給水を行ってタンク外に湯を押し出す際に、給水された比較的低温の水が高温の湯に混ざって出湯されやすい。    
そのため、タンクの底部に給水遮蔽具を設けて給水管から下向きに吐出した水をタンクの底部側に貯水する技術が提案されている（特許文献１を参照）。
【０００３】
しかしながら、特許文献１に開示をされた技術では、給水と出湯とをタンクの上面側から行っているため、タンクの上面に給水管と排湯管とを設ける必要がある。そのため、貯湯式電気温水器の厚み方向寸法がその分大きくなり薄型化をするのが困難となる。
【０００４】
一方、タンクの底部近くの周縁に開口した給水口に、内部にバッフル板を有する箱状のバッフル枠体を設けて、タンク内に流入させる水の流速を低下させる技術が提案されている（特許文献２を参照）。
【０００５】
しかしながら、特許文献２に開示をされた技術では、円筒形状のタンク内部にバッフル板を有する箱状のバッフル枠体を設けるようにしている。そのため、円筒形状のタンク内においては、バッフル枠体からほぼ直進する流れと、円筒形状の周囲（壁面）に沿って回り込む流れが発生する。これにより、バッフル枠体から離れたところで、直進してきた流れと周囲（内壁）に沿って回りこんできた流れ同士が衝突し、湯水混合が促進されてしまうおそれがあった。
【特許文献１】特開２０００−７４４９２号公報
【特許文献２】実開平７−２８４５号公報
【発明の開示】
【発明が解決しようとする課題】
【０００６】
本発明は、流入する水が上層の湯（高温水）と混合することを抑制することができ、かつ、流入する水を扁平箱形の貯湯タンクの底部にほぼ均一に広げることができる貯湯式電気温水器を提供する。
【課題を解決するための手段】
【０００７】
本発明の一態様によれば、扁平箱形の貯湯タンクを備えた貯湯式電気温水器であって、前記貯湯タンクの第１の側面に設けられた給水部の給水口と、前記貯湯タンクの内部において、前記給水口を覆うようにして前記第１の側面に設けられた箱状のバッフルと、が設けられ、前記バッフルは、前記貯湯タンクの底部に対向する面が開口され、前記貯湯タンクの稜線部分には所定の曲率半径を有する曲面が設けられていること、を特徴とする貯湯式電気温水器が提供される。
【発明の効果】
【０００８】
本発明によれば、流入する水が上層の湯（高温水）と混合することを抑制することができ、かつ、流入する水を扁平箱形の貯湯タンクの底部にほぼ均一に広げることができる貯湯式電気温水器が提供される。
【発明を実施するための最良の形態】
【０００９】
以下、図面を参照しつつ、本発明の実施の形態について説明をする。
【００１０】
図１は、本発明の実施の形態に係る貯湯式電気温水器を説明するための模式斜視図である。      
尚、図中の矢印は、水または湯の流れ方向を示している。    
図１に示すように、貯湯式電気温水器１には、扁平箱形の貯湯タンク２、給水部３、出湯部４、ヒータ５、箱状のバッフル６が主に設けられている。
【００１１】
扁平箱形の貯湯タンク２は、略直方体形状を呈しており、各主面同士が所定の曲率半径を有する曲面を介して連接されている。すなわち、各稜線部分には所定の曲率半径を有する曲面が設けられている。そのため、応力集中を緩和することができるので、上面と底部とに広い受圧面積を有する扁平箱形の貯湯タンク２であっても充分な耐圧性能を確保することができる。また、後述するように、流入する水の流れをこの曲面に沿わせることで、滑らかな方向変換を図ることもできる。尚、貯湯タンク２の平面形状は長方形に限定されるわけではなく、適宜変更することができる。例えば、平面形状を略正方形とすることができる。
【００１２】
ここで、曲面の寸法を例示するものとすれば、例えば、厚み（高さ）寸法が１００ミリメートル程度のタンクであれば、曲率半径を２５ミリメートル程度とすることができる。ただし、曲率半径は、これに限定されるわけではなく、タンクの大きさや要求される耐圧性能、後述するバッフル６の寸法などにより適宜変更することができる。
【００１３】
貯湯タンク２は、耐熱性、耐食性を有する材料から構成されるものとすることができる。そのようなものとしては、例えば、ステンレスなどのような金属材料、ＰＰＳ（ポリフェニレンサルファイド）等の合成樹脂材料、メッキなどの表面処理を施したもの、２種以上の材料を貼り合わせたものなどを例示することができる。ただし、これらに限定されるわけではなく、適宜変更することができる。
【００１４】
給水部３は、貯湯タンク２の一方の側面（第１の側面）に設けられている。給水部３の給水口３ａは、貯湯タンク２の側面に開口されており、給水口３ａを介して外部から貯湯タンク２の内部に水を流入させることができるようになっている。
【００１５】
給水口３ａには、配管継手３ｂが接続されており、この配管継手３ｂにより配管３ｃが給水口３ａと接続されている。配管３ｃは、銅管、ステンレス管、合成樹脂管などとすることができ、また、可撓性を有する管とすることもできる。ただし、これらに限定されるわけではなく、適宜変更することができる。
【００１６】
出湯部４は、貯湯タンク２の給水部３が設けられた面と対向する側の面に設けるようにすることが好ましい。出湯部４を給水部３と対向する位置に設けるようにすれば、出湯部４を給水部３から充分に離隔させることができるので、貯湯タンク２内に流入した水がそのまま出湯部４から排出されることを抑制することができる。
【００１７】
出湯部４の出湯口４ａは、貯湯タンク２の側面（第３の側面）に開口されている。また、貯湯タンク２内には出湯管４ｂが設けられ、出湯管４ｂの一端が出湯口４ａと接続されている。出湯管４ｂの他端は、貯湯タンク２内の上部において開口されており、この開口を介して、上層に貯められた湯（高温水）が外部に排出可能とされている。このように、貯湯タンク２内の上部において開口される出湯管４ｂを設けるようにすれば、実質的な出湯位置を貯湯タンク２内の上部に設けることになるので、貯湯タンク２の側面に設けられる出湯口４ａよりも上方の湯まで無駄なく出湯させることができ、使用する湯量を増やすことができる。
【００１８】
出湯管４ｂの開口位置は、出湯口４ａよりも高い位置にあればよく、特に限定されるものではない。ただし、貯湯タンク２内の上部の湯を無駄なく有効利用することを考慮すれば、貯湯タンク２の上面内側より下方に１０ミリメートル以下の位置に設けるようにすることが好ましい。
【００１９】
貯湯タンク２の外側において、出湯口４ａには、配管継手４ｃが接続されており、この配管継手４ｃにより配管４ｄが出湯口４ａと接続されている。配管４ｄは、銅管、ステンレス管、合成樹脂管などとすることができ、また、可撓性を有する管とすることもできる。ただし、これらに限定されるわけではなく、適宜変更することができる。
【００２０】
給水部３の配管３ｃは、例えば、水道管などと接続がされ、水を貯湯タンク２内に給水可能とされている。出湯部４の配管４ｄは、例えば、混合水栓などと接続がされ、湯を水栓などから吐出可能とされている。尚、水または湯の流水を制御するための図示しない開閉弁を配管３ｃまたは配管４ｄに適宜設けるようにすることができる。
【００２１】
ヒータ５は、発熱部５ａ、フランジ部５ｂ、接続端子５ｃを備えている。      
発熱部５ａは、貯湯タンク２の内部において、貯湯タンク２の底部に沿ってその近傍に水平に配設されている。発熱部５ａをこのように配設するものとすれば、以下の理由により、加熱される水の水量を増加させることができる。
【００２２】
発熱部５ａにより加熱された水は貯湯タンク２内を上昇し、温度の低い（密度の大きい）水は貯湯タンク２内を下降して貯湯タンク２の底部に集まる。下降した水は、貯湯タンク２の底部に配設された発熱部５ａにより加熱されて貯湯タンク２内を上昇する。このような対流を繰り返すことで、貯湯タンク２内の水が徐々に沸きあげられていく。
【００２３】
この場合、対流は発熱部５ａより上方で起こるため、発熱部５ａより下方では、ほとんど温度上昇しない。よって発熱部５ａをできるだけ貯湯タンク２の底部に近づけて水平に配設すると、発熱部５ａの上方に存在する水の量を増加させることができ、加熱される水の水量を増加させることができる。
【００２４】
フランジ部５ｂは、貯湯タンク２の側面に設けられた図示しない開口を覆うようにして設けられている。発熱部５ａの一端は、フランジ部５ｂを貫通してその端面が貯湯タンク２の外部に設けられている。また、発熱部５ａの端面には接続端子５ｃが設けられており、接続端子５ｃは、発熱部５ａに設けられた発熱体５ａ１と電気的に接続されている。そして、発熱部５ａに設けられた発熱体５ａ１は、貯湯タンク２内に位置する部分に設けられ、フランジ部５ｂ、接続端子５ｃなどが不必要に加熱されることがないようになっている。発熱体５ａ１としては、例えば、ニクロム線に通電をすることで発熱をさせるようなジュール熱を利用するものを例示することができる。
【００２５】
接続端子５ｃには、図示しない電源が電気的に接続され、発熱部５ａに設けられた発熱体５ａ１に通電可能とされている。また、発熱体５ａ１への通電を制御するための図示しない制御手段を適宜設けるようにすることができる。そして、湯温を制御するための図示しない湯温センサや過昇温防止用のバイメタル式スイッチなどを設けるようにすることができる。また、貯湯タンク２の周囲を断熱材料などで覆うようにすることもできる。
【００２６】
給水部３の給水口３ａ、出湯部４の出湯口４ａ、ヒータ５のフランジ部５ｂは、貯湯タンク２の側面の平面部分（各稜線部分に設けられた曲面を除いた部分）に設けられている。すなわち、給水部３、出湯部４、ヒータ５は、貯湯タンク２の側面の平面部分に設けられている。これらのものを貯湯タンク２側面の平面部分に設けることで、貯湯タンク２の薄型化を図りつつ、耐圧性を確保することができる。また、配設方向を揃えることで製造性をも向上させることができる。
【００２７】
また、出湯口４ａとヒータ５（フランジ部５ｂ）とを、給水口３ａ（バッフル６）が設けられた面と対向する側の面に設けるものとすれば、限られたスペースを有効に活用することができ、また、貯湯タンク２の薄型化を図りつつ、耐圧性を確保することができる。また、配設方向を揃えることで製造性をも向上させることができる。
【００２８】
また、後述するように、出湯口４ａを給水口３ａ（バッフル６）が設けられた面と対向する側の面に設けるものとすれば、離間距離を長くとることができるので、流入した水は、対向面に到達する間に、さらに貯湯タンク２の底部全体に広がりやすくなり、対向面に到達するころには、十分に流速が落ちた流れとなる。よって、対向面に当たり跳ね返ることを抑制することができる。
【００２９】
尚、必ずしもヒータ５を給水口３ａ（バッフル６）が設けられた面と対向する側の面に設ける必要はないが、前述したように、対向する側の面にヒータ５を設けた方が、スペース効率、製造性の観点からは好ましい。
【００３０】
次に、バッフル６について説明をする。      
図２は、貯湯タンク内への給水を説明するための模式図である。    
図３は、本発明の実施の形態に係る貯湯式電気温水器の模式断面図である。    
図４は、図３におけるＡ−Ａ矢視断面である。    
図５は、図４におけるＢ−Ｂ矢視断面図である。    
尚、図中の矢印は、水の流れ方向を示している。また、図１において説明をしたものと同様の部分には同じ符号を付し、その説明は省略する。
【００３１】
図３、図４に示すように、バッフル６は、箱状を呈し、貯湯タンク２の内部において、給水口３ａを覆うようにして貯湯タンク２の側面に設けられている。また、バッフル６の下面（貯湯タンク２の底部に対向する面）のみが開口されており、図２に示すように、給水口３ａを介して流入した水を貯湯タンク２の底部に向けて吐出可能とされている。
【００３２】
このようにバッフル６を箱状としているので、給水口３ａを介して流入した水がバッフル６の両側に流出することを抑制しつつ、流入した水を貯湯タンク２の底部に向けて吐出させることができる。
【００３３】
ここで、バッフル６の両側に流出する水は、バッフル６が設けられた面と略垂直な方向の水の流れを乱して乱流を生じさせる要因となる。そして、乱流が発生すると流入した水と上層の湯とが混合されるので、湯温が低下するなどの要因となる。また、流入する水の流速を速くすれば流入する水の量が増加し、バッフル６の両側に流出する水の量が増加するので、湯水混合が促進されてしまう。
【００３４】
特許文献２に開示をされた技術においては、円筒形状のタンク内に、内部にバッフル板を有する箱状のバッフル枠体を設けるようにしている。そのため、円筒形状のタンク内においては、バッフル枠体からほぼ直進する流れと、円筒形状の周囲（壁面）に沿って回り込む流れが発生する。これにより、バッフル枠体から離れたところで、直進してきた流れと周囲（内壁）に沿って回りこんできた流れ同士が衝突し、湯水混合が促進されてしまうおそれがあった。
【００３５】
これに対して本実施の形態によれば、箱形の貯湯タンク２の側面にバッフル６を設けることで、バッフル６の両側に貯湯タンク２の直線状の内壁面（側面）を存在させるようにしているので、貯湯タンク２の直線上の内壁面（側面）によりバッフル６の両側に流出する水の流れをバッフル６が設けられた面と略垂直な方向の流れに合流させることができる。これにより、貯湯タンク２の底部でほぼ一方向に沿った流れを形成することができ、流れ同士の衝突を抑制し、湯水混合を抑制することができる。
【００３６】
また、貯湯タンク２の各稜線部分には所定の曲率半径を有する曲面が設けられているので、バッフル６の両側に流出する水の流れをこの曲面に沿わせることで、滑らかな方向変換を図ることができる。
【００３７】
そのため、流入する水の流速をある程度速くすることで、バッフル６の両側に向かう水が増加したとしても、乱流の発生を抑制しつつバッフル６が設けられた面と略垂直な方向の水の流れに合流させることができる。
【００３８】
その結果、乱流の発生を抑制しつつ流入する水の流速をある程度速くすることができるので、底部の面積が比較的広い扁平箱形の貯湯タンク２であっても流入した水を底部全体にほぼ均一に広げることができる。
【００３９】
貯湯タンク２の平面形状が長方形である場合には、その短辺側の側面にバッフル６を設けるようにすることが好ましい。短辺側の側面にバッフル６を設けるようにすれば、短辺側から長辺に沿った水の流れを形成させることができる。この場合、流入した水は、長い距離を長い時間をかけて貯湯タンク２の底部に広がっていくため層流を形成させやすく、さらに乱流の発生を抑制することができる。また、対向する面間の距離が長いので、流入した水は、対向面に到達する間に、さらに貯湯タンク２の底部全体に広がりやすくなり、対向面に到達するころには、十分に流速が落ちた流れとなる。よって、対向面に当たり跳ね返ることを抑制することができる。
【００４０】
また、図４、図５に示すように、給水口３ａの断面積７ａ、バッフル６の水平方向断面積７ｂ、底部流路の面積７ｃを徐々に増加させるようにすれば、層流を形成させやすくなる。
【００４１】
また、図３に示すように、バッフル６の開口部の幅寸法（内寸）Ｗ１を、貯湯タンク２の内幅寸法（内寸）Ｗ２の半分以上とすることが好ましい。すなわち、バッフル６が設けられた貯湯タンク２の側面の幅方向であって、バッフル６の開口部の幅寸法（内寸）Ｗ１は、バッフル６が設けられた側面の内幅寸法Ｗ２の半分以上とすることが好ましい。
【００４２】
前述したように、バッフル６の両側に流出する水の流れは、貯湯タンク２の曲面に沿って流れることで跳ね返りが抑制されつつ滑らかにその流れ方向を換える。この際、幅寸法Ｗ１と幅寸法Ｗ２とを前述のようにすれば、バッフル６の両側に流出する水の流れが十分に形成される前に、流れ方向の変換を行うことができる。その結果、層流を形成させやすく、さらに乱流の発生を抑制することができる。
【００４３】
図６は、バッフル６の開口部近傍を説明するための模式部分断面図である。      
尚、図中の矢印は、水の流れ方向を示している。また、図１において説明をしたものと同様の部分には同じ符号を付し、その説明は省略する。
貯湯タンク２の各稜線部分には所定の曲率半径Ｒを有する曲面が設けられているので、図６に示すように、バッフル６の開口部の直下にも曲面が設けられていることになる。そのため、バッフル６の開口部から吐出される水の流れをこの曲面に沿わせることで、滑らかな方向変換を図ることができる。その結果、乱流の発生を抑制しつつ流入した水を貯湯タンク２の底部全体にほぼ均一に広げることができる。
【００４４】
また、バッフル６の開口部の端部（内壁）からバッフル６が設けられた貯湯タンク２の側面（第１の側面）に対して略垂直な側面（第２の側面）までの寸法Ｌ１（図３を参照）は、開口部の開口端から貯湯タンク２の底部までの内壁に沿った流路の寸法Ｌ２（貯湯タンク２の内壁に沿った長さ）以下とすることが好ましい。
【００４５】
前述したように、バッフル６の両側に流出する水の流れは、貯湯タンク２の曲面に沿って流れることで跳ね返りが抑制されつつ滑らかにその流れ方向を換える。この際、寸法Ｌ１と寸法Ｌ２とを前述のようにすれば、バッフル６の両側に流出する水の流れが十分に形成される前に、流れ方向の変換をすることができる。その結果、層流を形成させやすく、さらに乱流の発生を抑制することができる。
【００４６】
図７は、バッフル６の垂直方向断面を説明するための模式部分断面図である。      
尚、図中の矢印は、水の流れ方向を示している。また、図１において説明をしたものと同様の部分には同じ符号を付し、その説明は省略する。
図７に示すように、バッフル６の厚み方向寸法（内寸）ｈを、貯湯タンク２の曲面の曲率半径Ｒ以下とすることが好ましい。すなわち、バッフル６の開口部が、開口部の直下に設けられた曲面の曲率半径Ｒの中心位置（曲率中心Ｏ）よりも内側に位置しているようにすることが好ましい。
【００４７】
そのようにすれば、給水口３ａを介して流入させた水が、重力によって貯湯タンク２の底部に落ち込んでしまう前に、勢いよく衝突壁６ａに当てることができる。そのため、流入した水をバッフル６内に十分に広げることができる。その結果、バッフル６の開口部全面から均一に水が吐出され、さらに均一な水の流れが形成されることになる。
【００４８】
また、バッフル６の開口部の厚み方向位置が、曲面の曲率中心Ｏよりも内側にあるので、バッフル６の開口部から吐出させた水を曲面に確実に沿わせることができる。そのため、さらに跳ね返りが抑制され、滑らかにその流れ方向を換えることができる。
【００４９】
また、バッフル６の両側に流出する水も、貯湯タンク２の側面側に設けられた曲面に確実に沿わせることができる。そのため、バッフル６の両側に流出する水もさらに跳ね返りが抑制され、滑らかにその流れ方向を換えることができる。
【００５０】
以上説明したように、本発明によれば、流入する水の流れの乱れを抑制しつつ流入する水を扁平箱形の貯湯タンク２の底部にほぼ均一に広げることができる。また、流入する水の流れの乱れを抑制することができるので、流入する水が上層の湯（高温水）と混合することを抑制することができる。その結果、押し出し性（貯湯タンク２の内部の湯（高温水）を、流入した水と混合させずに高温のまま押し出す性能）を向上させることができる。
【００５１】
次に、貯湯式電気温水器１の作用について説明をする。      
給水部３の給水口３ａを介して貯湯タンク２内に流入した水は、バッフル６の衝突壁６ａに当たり、バッフル６内に広がる。そして、バッフル６内に広がった水は、貯湯タンク２の底部に向けてバッフル６の開口部全面から均一に吐出される。この際、バッフル６が箱状とされているので、バッフル６の両側に流出する水が抑制されつつ、貯湯タンク２の底部に向けて吐出される。
【００５２】
吐出された水は、貯湯タンク２の底部側に設けられた曲面に沿って流れることで跳ね返りが抑制されつつ滑らかにその流れ方向をバッフル６が設けられた面と略垂直な方向に換える。この際、バッフル６の両側に流出する水も、貯湯タンク２の側面側に設けられた曲面に沿って流れることで跳ね返りが抑制されつつ滑らかにその流れ方向をバッフル６が設けられた面と略垂直な方向に換える。
【００５３】
そして、これらの流れが合流し、扁平箱形の貯湯タンク２の底部にほぼ均一に広がって行く。この時、水の流れはほぼ層流となるので、水の流れの乱れが抑制されて上層の湯（高温水）との混合が抑制される。
【００５４】
一方、ヒータ５の発熱部５ａにより加熱された水は貯湯タンク２内を上昇し、温度の低い（密度の大きい）水は貯湯タンク２内を下降して貯湯タンク２の底部に集まる。下降した水は、貯湯タンク２の底部に配設されたヒータ５の発熱部５ａにより加熱されて貯湯タンク２内を上昇する。このような対流を繰り返すことで、貯湯タンク２内の水が徐々に沸きあげられていく。
【００５５】
そして、貯湯タンク２内に水を流入させることで押し上げられた上層の湯（高温水）は、出湯管４ｂの開口から出湯口４ａを介して外部に出湯される。
【００５６】
以上、本発明の実施の形態について説明をした。しかし、本発明はこれらの記述に限定されるものではない。  
前述の実施の形態に関して、当業者が適宜設計変更を加えたものも、本発明の特徴を備えている限り、本発明の範囲に包含される。
【００５７】
例えば、貯湯式電気温水器１が備える各要素の形状、材質などは、例示したものに限定されるわけではなく適宜変更することができる。  
また、前述した各実施の形態が備える各要素は、可能な限りにおいて組み合わせることができ、これらを組み合わせたものも本発明の特徴を含む限り本発明の範囲に包含される。
【図面の簡単な説明】
【００５８】
【図１】本発明の実施の形態に係る貯湯式電気温水器を説明するための模式斜視図である。
【図２】貯湯タンク内への給水を説明するための模式図である。
【図３】本発明の実施の形態に係る貯湯式電気温水器の模式断面図である。
【図４】図３におけるＡ−Ａ矢視断面である。
【図５】図４におけるＢ−Ｂ矢視断面図である。
【図６】バッフルの開口部近傍を説明するための模式部分断面図である。
【図７】バッフルの垂直方向断面を説明するための模式部分断面図である。
【符号の説明】
【００５９】
１  貯湯式電気温水器、２  貯湯タンク、３  給水部、３ａ  給水口、４  出湯部、４ａ  出湯口、４ｂ  出湯管、５  ヒータ、５ａ  発熱部、６  バッフル、６ａ  衝突壁、７ａ  給水口の断面積、７ｂ  バッフルの水平方向断面積、７ｃ  底部流路の面積、ｈ  バッフルの厚み方向寸法（内寸）、Ｏ  曲率中心、Ｒ  曲率半径、Ｗ１  開口部の幅寸法（内寸）、Ｗ２  貯湯タンクの幅寸法（内寸）、Ｌ１  寸法、Ｌ２  寸法
【図１】
2009036397.tif 000003
【図２】
2009036397.tif 000004
【図３】
2009036397.tif 000005
【図４】
2009036397.tif 000006
【図５】
2009036397.tif 000007
【図６】
2009036397.tif 000008
【図７】
2009036397.tif 000009